(57)【特許請求の範囲】
【請求項１】
被写体を撮像する撮像部と、
前記撮像部によって撮像された画像を表示する表示領域を有し、当該表示領域が発する表示光の照射範囲および前記撮像部が撮像する撮像範囲の少なくとも一部が重なるように配置された表示部と、
前記撮像部によって撮像された画像における被写体の形態を維持しつつ、当該画像より輝度が高い表示画像を生成する表示画像生成部と、
前記表示画像生成部によって生成された表示画像を前記表示部が有する前記表示領域に表示させる表示制御部と、を有し、
前記表示画像生成部は、利用者から画像の輝度設定の選択を受付け、受付けた輝度設定に応じて、前記撮像部によって撮像された画像を前記表示領域よりも縮小し、縮小した画像以外の領域を白画像とすることで前記表示画像を生成することを特徴とする携帯端末。
【請求項２】
前記表示画像生成部は、前記撮像部によって撮像された画像の輝度が所定の閾値を越えているか否かを判定し、当該輝度が前記所定の閾値を越えていないと判定した場合に、当該輝度が所定の閾値を越えるまで、前記撮像部によって撮像された画像をさらに縮小し、縮小した画像以外の領域を白画像とすることで前記表示画像を生成することを特徴とする請求項１に記載の携帯端末。
【請求項３】
被写体を撮像する撮像部によって撮像された画像における被写体の形態を維持しつつ、当該画像より輝度が高い表示画像を生成する表示画像生成手順と、
前記撮像部によって撮像された画像を表示する表示領域を有し、当該表示領域が発する表示光の照射範囲および前記撮像部が撮像する撮像範囲の少なくとも一部が重なるように配置された表示部が有する前記表示領域に、前記表示画像生成手順によって生成された表示画像を表示させる表示制御手順と、をコンピュータに実行させ、
前記表示画像生成手順は、利用者から画像の輝度設定の選択を受付け、受付けた輝度設定に応じて、前記撮像部によって撮像された画像を前記表示領域よりも縮小し、縮小した画像以外の領域を白画像とすることで前記表示画像を生成することを特徴とする輝度調整プログラム。
【発明の詳細な説明】
【技術分野】
【０００１】
本発明は、携帯端末および輝度調整プログラムに関する。
【背景技術】
【０００２】
近年、カメラ機能を搭載した携帯端末が普及している。携帯端末とは、例えば、携帯電話機やノート型パソコン、携帯型ゲーム機などである。携帯電話機は、カメラ機能を搭載した携帯端末として一般的に知られている。
【０００３】
最近では、携帯電話機は、搭載される位置および機能に基づいてインカメラとアウトカメラに区別される２種類のカメラを搭載している。携帯電話機に搭載されるアウトカメラとは、モニタの裏側、つまり背面側に搭載されるカメラである。アウトカメラは、例えば、モニタを通じて被写体を確認しながら撮影する場合に適している。一方、携帯電話機に搭載されるインカメラとは、そのモニタと同じ側に搭載されるカメラである。インカメラは、例えば、モニタを見ながら撮影者自らが自分を撮影する場合や、テレビ電話として通話者自身が自らを写すことで、通話者同士がお互いを見ながら会話する場合に適している。
【０００４】
携帯電話機は、カメラ専用の光源を有するものもある。例えば、携帯電話機は、アウトカメラに専用の光源としてＬＥＤ（Light Emitting Diode）を搭載する。携帯電話機は、撮像時において、利用者操作によって光源を使用する操作を受付けると、ＬＥＤを発光させる。その結果、携帯電話機は被写体の照度を上げることができるようになり、暗い場所でも撮像が可能になる。
【０００５】
携帯電話機は、撮像時において、光の入射量を調整する機能を有するものもある。例えば、携帯電話機は、調光手段として動作するＬＣＤ（Liquid Crystal Display）を搭載する。携帯電話機は、撮像時において、利用者操作によって光の入射量を調整する操作を受付けると、ＬＣＤを透過する光量を変化させる。携帯電話機は、透過率のより高いＬＣＤを搭載することによって、暗い場所での撮像が可能になる。
【先行技術文献】
【特許文献】
【０００６】
【特許文献１】特開２００５−２５２５８２号公報
【発明の概要】
【発明が解決しようとする課題】
【０００７】
しかしながら、上述した従来の技術では、専用の光源を設けなければ被写体の照度を上げることはできなかった。
【０００８】
従来の携帯電話機には、インカメラ専用の光源を搭載したものもなかった。携帯電話機などの携帯端末は、ＬＥＤなどの光源を搭載する場合、コストの上昇を免れず、余分な実装スペースも求められる。携帯電話機に搭載されるインカメラは、アウトカメラと比べて見込まれる需要が少ないので、コストや実装スペースを犠牲にして、ＬＥＤなどの光源を搭載するメリットがないと判断されていた。上記課題は、携帯電話機に搭載されたインカメラだけではなく、携帯端末に搭載された全てのカメラに同様に生ずる課題である。
【０００９】
開示の技術は、上記に鑑みてなされたものであって、専用の光源を設けなくても、被写体の照度を上げることができる携帯端末および輝度調整プログラムを提供することを目的とする。
【課題を解決するための手段】
【００１０】
本願の開示する携帯端末および輝度調整プログラムは、被写体を撮像する撮像部によって撮像された画像における被写体の形態を維持しつつ、当該画像より輝度が高い表示画像を生成する。また、携帯端末および輝度調整プログラムは、撮像部によって撮像された画像を表示する表示領域が発する表示光の照射範囲と撮像部が撮像する撮像範囲の少なくとも一部が重なるように配置された表示部の表示領域に、生成された表示画像を表示させる。
【発明の効果】
【００１１】
本願の開示する携帯端末および輝度調整プログラムによれば、専用の光源を設けなくても、被写体の照度を上げることができるという効果を奏する。
【図面の簡単な説明】
【００１２】
【図１】図１は、実施例１に係る携帯端末の構成を示す機能ブロック図である。
【図２】図２Ａ乃至Ｄは、実施例２に係る携帯電話機を示す図である。
【図３】図３は、実施例２に係る携帯電話機の構成を示す機能ブロック図である。
【図４】図４は、輝度判定基準データ記憶部によって記憶される輝度判定基準データ表の一例を示す図である。
【図５】図５は、端末ソフト制御部によって表示されるライト設定画面の一例を示す図である。
【図６】図６Ａ乃至Ｅは、画像縮小部によって縮小される画像の一例を示す図である。
【図７】図７は、白合成部によって行われる白合成処理の一例を示す図である。
【図８】図８は、実施例２に係る携帯電話機によって行われる処理の処理手順を示すフローチャートである。
【図９】図９Ａ乃至Ｄは、表示部によって表示される画像の一例を示す図である。
【図１０】図１０は、実施例２に係る携帯電話機によって行われるライト設定「自動」の画像縮小処理の処理手順を示すフローチャートである。
【図１１】図１１は、実施例２に係る携帯電話機によって行われる白合成処理の処理手順を示すフローチャートである。
【図１２】図１２Ａ乃至Ｄは、白合成部によって合成される画像の一例を示す図である。
【図１３】図１３Ａ乃至Ｃは、実施例３に係る携帯電話機を示す図である。
【図１４】図１４は、実施例３に係る携帯電話機の構成を示す機能ブロック図である。
【図１５】図１５は、実施例３に係る携帯電話機によって行われる処理の処理手順を示すフローチャートである。
【図１６】図１６は、輝度調整プログラムを実行するコンピュータの構成を示す機能ブロック図である。
【発明を実施するための形態】
【００１３】
以下に、本願の開示する携帯端末および輝度調整プログラムの実施例を図面に基づいて詳細に説明する。なお、この実施例によりこの発明が限定されるものではない。
【実施例１】
【００１４】
図１を用いて、実施例１に係る携帯端末の構成について説明する。図１は、実施例１に係る携帯端末の構成を示す機能ブロック図である。図１に示すように、実施例１に係る携帯端末１０は、撮像部１１と、表示部１２と、表示画像生成部１３と、表示制御部１４とを有する。
【００１５】
撮像部１１は、被写体を撮像する。表示部１２は、撮像部１１によって撮像された画像を表示する表示領域を有し、当該表示領域が発する表示光の照射範囲および撮像部１１が撮像する撮像範囲の少なくとも一部が重なるように配置される。表示画像生成部１３は、撮像部１１によって撮像された画像における被写体の形態を維持しつつ、当該画像より輝度が高い表示画像を生成する。表示制御部１４は、表示画像生成部１３によって生成された画像を表示部１２が有する表示領域に表示させる。
【００１６】
実施例１に係る携帯端末１０では、表示部１２の表示光は、撮像部１１が撮像する被写体に照射される。撮像部１１によって撮像された画像が表示される際に、被写体の形態を維持しつつ輝度が高められた表示画像が表示される。表示部１２に表示される画像の輝度を上げることで、被写体の照度が上がる。したがって、実施例１に係る携帯端末１０によれば、専用の光源を設けなくとも被写体の照度を上げることが可能である。
【実施例２】
【００１７】
実施例２として、携帯端末について説明する。以下では、実施例２に係る携帯端末、携帯端末の構成、携帯端末の処理の流れを順に説明し、最後に実施例２の効果を説明する。以下においては、携帯端末として、携帯電話機を例にあげて説明する。なお、この実施例によって本発明が限定されるものではない。
【００１８】
［実施例２に係る携帯電話機］
図２Ａ乃至Ｄを用いて、実施例２に係る携帯電話機を説明する。図２Ａ乃至Ｄは、実施例２に係る携帯電話機による輝度調整を示す図である。実施例２に係る携帯電話機は、例えば、インカメラを搭載した携帯電話機として構築され、利用者によって被写体を撮影するために必要な輝度を提供する。インカメラは、モニタと同じ側に搭載されたカメラである。インカメラは、モニタと同じ側に搭載されるので、モニタが発する表示光の照射範囲とインカメラが撮像する撮像範囲の少なくとも一部が重なるようになる。
【００１９】
図２Ａは、携帯電話機の待ち受け時のモニタ画面を示す。図２Ａに示すように、実施例２に係る携帯電話機は、無線通信機能やカメラ機能などの特定の機能を起動していない状態において、待ち受け画面を表示する。
【００２０】
携帯電話機は、利用者から撮像機能の選択を受付けると、カメラを起動し、ＬＣＤなどのモニタにカメラが捉えた被写体を映し出す画面に切り替える。図２Ｂは、撮像機能が起動した場合の携帯電話機のモニタ画面を示す。図２Ｂに示すように、携帯電話機は、カメラがとらえた画像を処理し、ほぼリアルタイムに撮像画像をモニタに表示する。
【００２１】
利用者によってカメラが撮像している画像の輝度が低いと判断された場合、携帯電話機は、被写体の照度を上げるためのライト設定を利用者から受付ける。図２Ｃは、ライト設定画面に切り替えた場合の携帯電話機のモニタ画面を示す。図２Ｃに示すように、携帯電話機は、ライトの輝度を弱・中・強の３段階または自動で設定する選択メニューを表示し、利用者から選択を受付ける。本実施例では一例として、携帯電話機は、利用者から輝度を「中」に設定する選択を受付けた場合を示す。
【００２２】
携帯電話機は、利用者から輝度の選択を受付けた後に、画面をライト設定画面から撮像画面へと切り替える。図２Ｄは、ライトを輝度「中」に設定して撮像する場合の携帯電話機のモニタ画面を示す。図２Ｄに示すように、携帯電話機は、ＬＣＤ表示サイズよりも縮小した被写体の画像をモニタ画面に表示する。携帯電話機は、縮小した画像を表示する領域以外のモニタの画面を輝度の高い画像に置換する。本実施の形態では、携帯電話機は、縮小した画像を表示する領域以外のモニタの画面に輝度の高い画像として白色を合成する。
【００２３】
携帯電話機は、モニタに表示するカメラが撮像した被写体の画像の輝度が足りない場合には、表示する被写体の画像面積を縮小し、被写体の画像を表示す領域以外のモニタ画面に白色を合成する。携帯電話機は、白色を光源として利用することで被写体の照度を上げることが可能となる。したがって、携帯電話機は、カメラ専用の光源を設けることなく被写体の照度をあげることが可能となる。
【００２４】
［実施例２に係る携帯電話機の構成］
図３を用いて、実施例２に係る携帯電話機１００の構成を説明する。図３は、実施例２に係る携帯電話機１００の構成を示す機能ブロック図である。図３に示すように、携帯電話機１００は、操作受付部１０１と、撮像部１０２と、表示部１０３と、無線通信部１０４と、記憶部１１０と、制御部１２０とを有する。
【００２５】
操作受付部１０１は、携帯電話機１００に対するする任意の操作を利用者から受付ける。操作受付部１０１は、利用者から受付けた操作を端末ソフト制御部１２１へ通知する。操作受付部１０１が利用者から受付ける操作は、無線通信の制御、カメラの起動と撮像、ライト設定、撮像画像の処理と画像データの保存や読み出し、モニタ切り替えなど携帯電話機が有する機能全般についてである。例えば、操作受付部１０１は、表示部１０３と一体となったタッチパネルや、携帯電話機１００の本体に設けられたテンキー、クロスキーなどの複数のキーを有して構成された操作ボタンなどである。
【００２６】
撮像部１０２は、人物や風景などの被写体を撮像する。撮像部１０２は、レンズを通して被写体が発した光を撮像素子の受光表面に結像させ、光による明暗を電気信号に変換する。撮像部１０２は、電気信号を画像処理部１２２へ転送し、転送された電気信号は画像処理部１２２によってデジタルデータへ変換される。例えば、撮像部１０２は、撮像素子としてＣＣＤ（Charge Coupled Device）イメージセンサやＣＭＯＳ（Complementary Metal Oxide Semiconductor）などを利用するデジタルカメラである。実施例２に係る撮像部１０２はインカメラである。
【００２７】
表示部１０３は、携帯電話機１００において、モニタとして機能する。表示部１０３は、表示領域を有し、文字および画像などを表示することによって利用者に情報を提供する。表示部１０３は、撮像部１０２が起動している場合、撮像部１０２が撮像した画像を表示する。例えば、表示部１０３は、ＬＣＤ（Liquid Crystal Display）や有機ＥＬ（Electro-Luminescence）などで構成されたディスプレイである。本実施の形態における表示部１０３は、表示領域が発する表示光の照射範囲と撮像部１０２が撮像する撮像範囲の少なくとも一部が重なるように配置される。
【００２８】
無線通信部１０４は、携帯電話機１００と他の携帯電話機や基地局との間で無線通信を行う。例えば、無線通信部１０４は、携帯電話機１００による他の携帯電話機との通話や、メール送受信などを行う。
【００２９】
記憶部１１０は、携帯電話機１００による各種処理に必要なデータおよびプログラムを記憶する。記憶部１１０は、画像データ記憶部１１１と、端末ソフト制御データ記憶部１１２と、輝度判定基準データ記憶部１１３とを有する。記憶部１１０は、例えば、フラッシュメモリ（flash memory）などの半導体素子、ＲＯＭ（Read Only Memory）、ＲＡＭ（Random Access Memory）、ＳＤメモリカードなどの記憶装置である。
【００３０】
画像データ記憶部１１１は、画像データを記憶する。画像データ記憶部１１１は、画像処理部１２２が、撮像部１０２によって撮像された画像の電気信号をデジタルデータに変換したデータを保存する。
【００３１】
端末ソフト制御データ記憶部１１２は、携帯電話機１００によって提供される各種機能の制御および管理に必要な情報を記憶する。例えば、端末ソフト制御データ記憶部１１２は、無線通信の制御、カメラの起動と撮像、ライト設定、撮像画像の処理と画像データの保存や読み出し、モニタ切り替えなど携帯電話機が有する機能に利用される情報を記憶する。端末ソフト制御データ記憶部１１２は、端末ソフト制御部１２１が、利用者によって選択された操作を実行する場合に、必要なデータおよびプログラムを提供する。
【００３２】
輝度判定基準データ記憶部１１３は、表示画像生成部１２３によって実行される画像縮小処理を定める情報を記憶する。図４は、輝度判定基準データ記憶部１１３によって記憶される輝度判定基準データ表の一例を示す図である。図４に示すように、輝度判定基準データ表は、「ライト設定」と「画像縮小率」とを対応付けた情報を記憶する。輝度判定基準データ表において、「ライト設定」の項目は、「弱」、「中」、「強」の３段階の輝度と輝度を自動で設定するライト設定を示す。ライト設定の「オフ」は、ライトを設定しないことを意味する。輝度判定基準データ表は、「画像縮小率」の項目には、「ライト設定」に対応する画像の縮小率を示す値を記憶する。一例をあげて説明すると、輝度判定基準データ表は、ライト設定が「弱」の場合は、表示画像生成部１２３に転送された画像が表示画像生成部１２３によって「９０％」に縮小されることを示す。画像縮小率は図４に示した値に限定されるものではなく、利用者によって任意の数値に設定可能である。
【００３３】
輝度判定基準データ表は、「ライト設定」が自動である情報の「画像縮小率」の項目には、利用者によって自動で輝度を調整する設定を受付けた場合における輝度の判定基準となる閾値を記憶する。一例をあげて説明すると、輝度判定基準データ表は、閾値が１２０（ｃｄ／ｍ２）の場合、画像の輝度が１２０（ｃｄ／ｍ２）を越えるか否かを判定する判定基準となることを示している。閾値は図４に示した値に限定されるものではなく、利用者によって任意の数値に設定可能である。
【００３４】
制御部１２０は、携帯電話機１００によって処理される機能を制御する。例えば、制御部１２０は、無線通信の制御、カメラの起動と撮像、ライト設定、撮像画像の処理と画像データの保存や読み出し、モニタ切り替えなど携帯電話機１００が有する機能を制御する。制御部１２０は、端末ソフト制御部１２１と、画像処理部１２２と、表示画像生成部１２３と、表示制御部１２４とを有する。
【００３５】
端末ソフト制御部１２１は、携帯電話機１００によって提供される各種機能の制御および管理を行う。端末ソフト制御部１２１は、操作受付部１０１が利用者から受付けた操作に基づいて、対応する処理を制御する。具体的には、端末ソフト制御部１２１は、無線通信の制御、カメラの起動と撮像、ライト設定、撮像画像の処理と画像データの保存や読み出し、モニタ切り替えなど携帯電話機１００が有する機能を制御する。
【００３６】
端末ソフト制御部１２１は、無線通信の制御を行う。例えば、端末ソフト制御部１２１は、携帯電話機１００と他の携帯電話機や基地局との間で無線通信を制御する。例えば、端末ソフト制御部１２１は、携帯電話機１００による通話や、メール送受信などを制御する。
【００３７】
端末ソフト制御部１２１は、撮像部１０２の制御を行う。例えば、端末ソフト制御部１２１は、操作受付部１０１が、利用者から撮像部１０２を起動する操作を受付けた場合、撮像部１０２を起動し、表示部１０３の画面に撮像部１０２が撮像した画像を表示させる。
【００３８】
実施例２において、端末ソフト制御部１２１は、ライト設定におけるモニタの切り替えを行う。図５は、端末ソフト制御部１２１によって表示されるライト設定画面の一例を示す図である。端末ソフト制御部１２１は、表示部１０３を図５に示したライト設定画面に切り替える。図５に示すように、例えば、端末ソフト制御部１２１は、モニタに、輝度の設定条件を意味する「オフ」、「自動」、「強」、「中」、「弱」を表示させる。「オフ」は、ライト設定を行わないことを意味する。「自動」は、自動でライト設定を行うことを意味する。例えば、携帯電話機１００は画像の輝度を算出し、輝度判定基準データ表に基づいて、算出した画像の輝度が所定の閾値を越えるようにライト設定を行う。「強」は、最も輝度の高いライト設定を行うことを意味する。例えば、携帯電話機１００は輝度判定基準データ表に基づいて、画像を３０％に縮小し、表示画面に生じた余白領域に白色を合成することで輝度の高い画像を生成する。「中」は、「強」に次いで輝度の高いライト設定を行うことを意味する。例えば、携帯電話機１００は輝度判定基準データ表に基づいて、画像を６０％に縮小し、表示画面に生じた余白領域に白色を合成することで輝度の高い画像を生成する。「弱」は、「中」に次いで輝度の高いライト設定を行うことを意味する。例えば、携帯電話機１００は輝度判定基準データ表に基づいて、画像を９０％に縮小し、表示画面に生じた余白領域に白色を合成することで輝度の高い画像を生成する。端末ソフト制御部１２１は、操作受付部１０１を介して利用者から任意のライト設定の選択を受付ける。続いて、端末ソフト制御部１２１は、利用者からライト設定を受付けたことを表示画像生成部１２３に通知する。
【００３９】
端末ソフト制御部１２１は、撮像画像の保存や記憶部からの読み出しを行う。端末ソフト制御部１２１は、操作受付部１０１が、利用者から撮像画像の保存を受付けた場合、画像処理部１２２を制御し、撮像画像を画像データ記憶部１１１に保存させる。端末ソフト制御部１２１は、操作受付部１０１が、過去に記憶した画像データの読み出しを利用者から受付けた場合、画像データ記憶部１１１から該当データの読み出しを行い、該当データを画像処理部１２２に転送する。画像処理部１２２では、転送されたデータを表示部１０３に表示可能なサイズに編集し、表示制御部１２４を経由して、表示部１０３に表示させる。
【００４０】
端末ソフト制御部１２１は、モニタ切り替えの制御を行う。例えば、端末ソフト制御部１２１は、操作受付部１０１が、利用者から任意の操作を受付けた場合、受付けた操作に対応する画面に、表示部１０３の画面を切り替える。具体的には、端末ソフト制御部１２１は、操作受付部１０１が利用者から受付けた任意の操作に対して各種操作画面への切り替えを行う。例えば、端末ソフト制御部１２１は、発着信時の画面切り替えや、メール送受信時の画面切り替えを行う。
【００４１】
画像処理部１２２は、画像データのデジタル化処理を行う。画像処理部１２２が行う画像データのデジタル化処理には２種類ある。一つは、撮像部１０２が起動している場合のデジタル化処理であり、もう一つは、撮像部１０２が起動していない場合の処理である。
【００４２】
例えば、画像処理部１２２は、撮像部１０２が起動した場合、撮像部１０２が撮像した画像の処理を行う。画像処理部１２２は、撮像部１０２が撮像した被写体の画像についての電気信号に基づいて被写体の画像をデジタルデータに変換する。画像処理部１２２は、撮像部１０２が撮像した画像を表示部１０３に表示可能なサイズの画像に変換する。表示部１０３に表示可能なサイズをＬＣＤ表示サイズと定義する。画像処理部１２２は、色調や階調などを補正する画像処理を行う。画像処理部１２２は、デジタルデータ化した被写体の画像データを表示画像生成部１２３に転送する。表示画像生成部１２３に転送された画像データは表示制御部１２４を経由して表示部１０３に表示される。この結果、表示部１０３は、撮像部１０２が撮像した画像をほぼリアルタイムに表示することが可能となる。
【００４３】
画像処理部１２２は、利用者によって画像を保存する操作を受付けた場合には、編集した画像データを画像データ記憶部１１１へ保存する。端末ソフト制御部１２１が画像を保存する操作を受付けたと判定した場合、画像処理部１２２は、撮像部１０２からの情報の転送を遮断する。その結果、表示部１０３には、保存を受付けた当該画像が表示される。撮像部１０２が起動していない状態において、画像処理部１２２は、利用者によって選択された保存済みの画像データの読み出しを行う。画像処理部１２２は、操作受付部１０１が利用者から保存済みの画像の読み出し操作を受付けた場合には、端末ソフト制御部１２１によって画像データ記憶部１１１から読み出された該当画像データを表示画像生成部１２３へ転送する。表示画像生成部１２３に転送されたデータは、表示制御部１２４を経由して表示部１０３に表示される。
【００４４】
表示画像生成部１２３は、端末ソフト制御部１２１からライト設定を受付けたことが通知された場合、被写体の形態を維持しつつ、当該画像より輝度が高い表示画像を生成する。具体的には、表示画像生成部１２３は、撮像部１０２によって撮像された画像をＬＣＤ表示サイズよりも縮小し、縮小した画像以外の表示領域を白画像とすることで表示画像を生成する。表示画像生成部１２３は、撮像部１０２によって撮像された画像の輝度が所定の閾値を越えているか否かを判定し、当該輝度が所定の閾値を越えていないと判定した場合に、当該輝度が所定の閾値を越えるまで、撮像部１０２によって撮像された画像をさらに縮小し、縮小した画像以外の領域を白画像とすることで表示画像を生成する。表示画像生成部１２３は、画像処理部１２２から転送された画像データを表示制御部１２４へ転送する。表示画像生成部１２３は、画像縮小部１２３ａと、白合成部１２３ｂと、輝度判定部１２３ｃとを有する。
【００４５】
画像縮小部１２３ａは、端末ソフト制御部１２１からライト設定の通知を受付けていない場合、画像処理部１２２から転送された画像データを、表示制御部１２４へ転送する。画像縮小部１２３ａは、端末ソフト制御部１２１からライト設定の通知を受付けた場合、輝度判定基準データ表に基づいて、画像処理部１２２から転送された画像データを所定のサイズに縮小する。
【００４６】
図６Ａ乃至Ｅは、画像縮小部１２３ａによって縮小される画像の一例を示す図である。図６Ａに示すように、画像縮小部１２３ａは、画像処理部１２２によってＬＣＤ表示サイズに変換された撮像画像を受け取る。図６Ｂは、ライト設定「オフ」が選択された場合の画像を示す。図６Ｂに示すように、ライト設定「オフ」が選択された場合、画像縮小部１２３ａは、ＬＣＤ表示サイズの画像を、輝度判定基準データ表に基づいて、１００％のサイズに維持する。図６Ｃは、ライト設定「弱」が選択された場合の画像を示す。図６Ｃに示すように、ライト設定「弱」が選択された場合、画像縮小部１２３ａは、ＬＣＤ表示サイズの画像を、輝度判定基準データ表に基づいて、例えば、９０％のサイズに縮小する。図６Ｄは、ライト設定「中」が選択された場合の画像を示す。図６Ｄに示すように、ライト設定「中」が選択された場合、画像縮小部１２３ａは、ＬＣＤ表示サイズの画像を、輝度判定基準データ表に基づいて、例えば、６０％のサイズに縮小する。図６Ｅは、ライト設定「強」が選択された場合の画像を示す。図６Ｅに示すように、ライト設定「強」が選択された場合、画像縮小部１２３ａは、ＬＣＤ表示サイズの画像を、輝度判定基準データ表に基づいて、例えば、３０％のサイズに縮小する。画像縮小部１２３ａは、縮小した画像データを白合成部１２３ｂへ転送する。
【００４７】
画像縮小部１２３ａは、輝度判定部１２３ｃから転送されたライト設定を指示した情報に基づいて、画像を縮小させる。輝度判定部１２３ｃについては後述する。
【００４８】
白合成部１２３ｂは、画像縮小部１２３ａから転送された画像に基づいて、より輝度の高い画像を合成する。具体的には、白合成部１２３ｂは、表示部１０３に表示させる画素ごとに、画像縮小部１２３ａによって縮小された被写体の画像を描画するか、輝度を上げるため白色を描画するかを判定する。
【００４９】
図７は、白合成部１２３ｂによって行われる白合成処理の一例を示す図である。図７は、画像縮小部１２３ａによって縮小された撮像画像に基づいて、白合成部１２３ｂが、より高い輝度の画像に合成する処理を示している。具体的には、図７は、画像の一部分を拡大し、その領域の画素が撮像画像を描画するのか、白色を描画するのかを示している。白合成部１２３ｂは、ＬＣＤ表示サイズの中央に揃えるように、画像縮小部１２３ａによって縮小された撮像画像を配置する。白合成部１２３ｂは、ＬＣＤ表示サイズ内の表示数に基づいて、各画素が撮像画像を表示する画素であるのか否かを判定する。白合成部１２３ｂは、該当画素が撮像画像であった場合、該当画素が表示する位置に対応する撮像画像を描画する。一方、白合成部１２３ｂは、該当画素が撮像画像でなかった場合、該当画素が表示する位置に白色を描画する。
【００５０】
輝度判定部１２３ｃは、画像の輝度を算出し、当該輝度が所定の閾値を越えたか否かを判定する。輝度判定部１２３ｃは、端末ソフト制御部１２１によって、操作受付部１０１がライト自動設定の選択を受付けた情報を通知された場合に処理を担当する。ライト自動設定モードにおいて、輝度判定部１２３ｃは、白合成部１２３ｂによって合成された撮像画像を受け取り、受け取った画像の輝度を算出する。輝度判定部１２３ｃは、輝度判定基準データ記憶部１１３に記憶してある輝度判定基準データ表を読み出し、算出した画像の輝度が所定の閾値を越えているか否か判定する。輝度判定部１２３ｃは、算出した画像の輝度が所定の閾値を越えていないと判定した場合には、画像の輝度を上げるため、画像縮小部１２３ａへライト設定を指示した情報を転送する。輝度判定部１２３ｃは、表示領域に表示される白色の比率を算出することで「画像縮小率」を算出し、算出した「画像縮小率」に基づいて「ライト設定」を判定する。輝度判定部１２３ｃは、判定した「ライト設定」よりも輝度が一段階高い「ライト設定」を指示する。輝度判定部１２３ｃは、画像の輝度が閾値を越えていると判定した場合には、表示制御部１２４に画像データを転送する。
【００５１】
表示制御部１２４は、表示部１０３に表示する画像を制御する。表示制御部１２４は、表示画像生成部１２３を経由して、画像処理部１２２から転送された画像を受け取り、表受け取った画像を表示部１０３に表示させる。表示制御部１２４が受け取る画像は、表示画像生成部１２３によって編集された画像や、画像データ記憶部１１１に記憶されていた画像などである。
【００５２】
［実施例２に係る携帯電話機の処理］
実施例２に係る携帯電話機１００によって行われる処理の流れについて説明する。図８は、実施例２に係る携帯電話機１００によって行われる処理の流れを示すフローチャートである。
【００５３】
図８に示すように、携帯電話機１００において、端末ソフト制御部１２１は、操作受付部１０１がインカメラの使用を受付けたか否かを判定する（ステップＳ１０１）。端末ソフト制御部１２１は、インカメラの使用を受付けたと判定した場合（ステップＳ１０１，Ｙｅｓ）、端末ソフト制御部１２１は、撮像部１０２を起動し、表示部１０３は、ＬＣＤ表示サイズの撮像画像を表示する（ステップＳ１０２）。端末ソフト制御部１２１は、操作受付部１０１が利用者からライト設定を受付けたか否かを判定する（ステップＳ１０３）。
【００５４】
操作受付部１０１がライト設定を受付けたと判定しなかった場合（ステップＳ１０３，Ｎｏ）、端末ソフト制御部１２１は、ＬＣＤ表示サイズの撮像画像が表示され状態を継続する。操作受付部１０１がライト設定を受付けたと判定した場合（ステップＳ１０３，Ｙｅｓ）、端末ソフト制御部１２１は、表示部１０３にライト設定画面を表示させ、利用者からのライト設定選択を受付ける（ステップＳ１０４）。端末ソフト制御部１２１は、利用者によって選択されたライト設定に関する情報を表示画像生成部１２３へ転送する。表示画像生成部１２３は、端末ソフト制御部１２１から転送されたライト設定を判定する（ステップＳ１０５）。
【００５５】
表示画像生成部１２３は、ライト設定が「オフ」であった場合（ステップＳ１０５，オフ）、ＬＣＤ表示サイズの画像のまま維持する（ステップＳ１０６）。表示画像生成部１２３は、ライト設定が「弱」であった場合（ステップＳ１０５，弱）、輝度判定基準データ表に基づいて画像を縮小させる（ステップＳ１０７）。表示画像生成部１２３は、画像縮小に伴い生じた領域に白色を合成する（ステップＳ１０８）。表示画像生成部１２３は、ライト設定が「中」であった場合（ステップＳ１０５，中）、輝度判定基準データ表に基づいて画像を縮小させる（ステップＳ１０９）。表示画像生成部１２３は、画像縮小に伴い生じた領域に白色を合成する（ステップＳ１０８）。表示画像生成部１２３は、ライト設定が「強」であった場合（ステップＳ１０５，強）、輝度判定基準データ表に基づいて画像を縮小させる（ステップＳ１１０）。表示画像生成部１２３は、画像縮小に伴い生じた領域に白色を合成する（ステップＳ１０８）。表示画像生成部１２３は、ライト設定が「自動」であった場合（ステップＳ１０５，自動）、輝度が所定の閾値を越えるまで自動で画像を縮小させる（ステップＳ１１１）。
【００５６】
このような処理（ステップＳ１０６〜Ｓ１１１）の後、表示画像生成部１２３は、画像を表示制御部１２４へ転送し、表示部１０３へ表示させる（ステップＳ１１２）。その結果、表示される画面について図９Ａ乃至Ｄを用いて説明する。図９Ａ乃至Ｄは、表示部１０３に表示される画像の一例を示す図である。図９Ａは、ライト設定「オフ」が選択された場合に表示される画像を示す。表示画像生成部１２３は、ライト設定「オフ」が選択された場合、表示画像と同じサイズの画像を生成する。図９Ｂは、ライト設定「弱」が選択された場合に表示される画像を示す。表示画像生成部１２３は、ライト設定「弱」が選択された場合、輝度判定基準データ表に基づいて画像を縮小させる。本実施例においては、表示画像生成部１２３は、ライト設定「弱」が選択された場合、画像を９０％のサイズに縮小し、生じた余白に、白色を合成する。ライト設定「弱」は、表示画面の１０％を白色の光源として提供することができる。図９Ｃは、ライト設定「中」が選択された場合に表示される画像を示す。表示画像生成部１２３は、ライト設定「中」が選択された場合、輝度判定基準データ表に基づいて画像を縮小させる。本実施例においては、表示画像生成部１２３は、ライト設定「中」が選択された場合、画像を６０％のサイズに縮小し、生じた余白に、白色を合成する。ライト設定「中」は、表示画面の４０％を白色の光源として提供することができる。図９Ｅは、ライト設定「強」が選択された場合に表示される画像を示す。表示画像生成部１２３は、ライト設定「強」が選択された場合、輝度判定基準データ表に基づいて画像を縮小させる。本実施の形態においては、表示画像生成部１２３は、ライト設定「強」が選択された場合、画像を３０％のサイズに縮小し、生じた余白に、白色を合成する。ライト設定「強」は、表示画面の７０％を白色の光源として提供することができる。ライト設定は、「オフ」、「弱」、「中」、「強」の順で輝度が高い画像を表示し、光源を提供することができる。ライト設定「自動」が選択された場合に表示される画像については、後述する。
【００５７】
端末ソフト制御部１２１は、カメラ機能を終了させる操作を受付けたかを判定する（ステップＳ１１３）。端末ソフト制御部１２１は、カメラ機能を終了させる操作を受付けたと判定した場合には（ステップＳ１１３，Ｙｅｓ）、撮像機能を終了する。端末ソフト制御部１２１は、カメラ機能を終了させる操作を受付けていないと判定した場合（ステップＳ１１３，Ｎｏ）、ライト設定を受付けたか否か判定し（ステップＳ１０３）、カメラ機能が終了するまで上記の操作を繰り返す。
【００５８】
［携帯電話機によって行われる自動モードの画像縮小処理］
実施例２に係る携帯電話機１００によって行われるライト「自動」の選択を受付けた場合の画像縮小処理の流れについて説明する。図１０は、実施例２に係る携帯電話機１００によって行われる自動モードの画像縮小処理の流れを示すフローチャートである。なお、ここで説明する処理は、図８のステップＳ１１１に対応する。
【００５９】
図１０に示すように、携帯電話機１００において、端末ソフト制御部１２１は、操作受付部１０１が、ライト自動設定を受付けたと判定した場合、表示画像生成部１２３に画像の縮小処理を行わせる。表示画像生成部１２３において、画像縮小部１２３ａは、画像をライト「弱」サイズに縮小し（ステップＳ２０１）、白合成部１２３ｂに縮小した画像情報を転送する。白合成部１２３ｂは、画像縮小部１２３ａによって転送された画像情報に基づいて、ＬＣＤ表示サイズの余白部分に白を合成する（ステップＳ２０２）。
【００６０】
携帯電話機１００において、輝度判定部１２３ｃは、白合成部１２３ｂによって合成された画像の輝度が所定の閾値を越えたか否か判定する（ステップＳ２０３）。輝度判定部１２３ｃは、画像の輝度が所定の閾値を越えたと判定した場合（ステップＳ２０３，Ｙｅｓ）、携帯電話機１００は、自動設定を終了する。その結果、図９Ｂに示した画面が表示される。
【００６１】
携帯電話機１００において、輝度判定部１２３ｃは、画像の輝度が所定の閾値を越えていないと判定した場合（ステップＳ２０３，Ｎｏ）、画像縮小部１２３ａに閾値を越えていない情報を通知し、当該画像を転送する。画像縮小部１２３ａは、画像をライト「中」サイズに縮小し（ステップＳ２０４）、白合成部１２３ｂに転送する。白合成部１２３ｂは、画像縮小部１２３ａによって転送された画像情報に基づいて、ＬＣＤ表示サイズの余白部分に白を合成する（ステップＳ２０５）。
【００６２】
携帯電話機１００において、輝度判定部１２３ｃは、白合成部１２３ｂによって合成された画像の輝度が所定の閾値を越えたか否か判定する（ステップＳ２０６）。輝度判定部１２３ｃは、画像の輝度が所定の閾値を越えたと判定した場合（ステップＳ２０６，Ｙｅｓ）、携帯電話機１００は、自動設定を終了する。その結果、図９Ｃに示した画面が表示される。
【００６３】
携帯電話機１００において、輝度判定部１２３ｃは、画像の輝度が所定の閾値を越えていないと判定した場合（ステップＳ２０６，Ｎｏ）、画像縮小部１２３ａに閾値を越えていない情報を転送する。続いて、画像縮小部１２３ａは、画像をライト「強」サイズに縮小し（ステップＳ２０７）、白合成部１２３ｂに転送する。白合成部１２３ｂは、画像縮小部１２３ａによって転送された画像情報に基づいて、ＬＣＤ表示サイズの余白部分に白を合成する（ステップＳ２０８）。その結果、図９Ｄに示した画面が表示される。
【００６４】
図１０に示す画像縮小処理の処理手順において、ステップＳ２０１と、ステップＳ２０４と、ステップＳ２０７との処理の順序は相互に入れ替え可能である。例えば、携帯電話機１００において、画像縮小部１２３ａは、ライト「弱」サイズに設定後に輝度が閾値を越えたか否かを判定する処理から開始しなくても良く、ライト「中」または、「強」サイズに設定してから輝度が閾値を越えたか否かを判定してもよい。
【００６５】
［携帯電話機によって行われる白合成処理］
実施例２に係る携帯電話機１００によって行われる白合成処理の流れについて説明する。本実施例で説明する処理は、図８のステップＳ１０８、図１０のステップＳ２０２、Ｓ２０５およびＳ２０８に対応する。図１１は、実施例２に係る携帯電話機１００によって行われる白合成処理の流れを示すフローチャートである。
【００６６】
図１１に示すように、携帯電話機１００において、白合成部１２３ｂは、描画する位置が画像表示範囲であるか否か判定する（ステップＳ３０１）。白合成部１２３ｂは、画像表示範囲であると判定した場合（ステップＳ３０１，Ｙｅｓ）、描画する位置に画像を描画する（ステップＳ３０２）。白合成部１２３ｂは、画像表示範囲ではないと判定した場合（ステップＳ３０１，Ｎｏ）、描画する位置に白を描画する（ステップＳ３０３）。
【００６７】
［実施例２の効果］
上述したように、実施例２では、携帯電話機１００において、撮像部１０２は被写体を撮像する。表示部１０３は、撮像部１０２によって撮像された画像を表示する表示領域を有する。表示部１０３は、表示部１０３の表示領域が発する表示光の照射範囲および撮像部１０２が撮像する撮像範囲の少なくとも一部が重なるように配置される。その結果、表示部１０３の表示光は、被写体に照射される。表示画像生成部１２３は、撮像部１０２によって撮像された画像における被写体の形態を維持しつつ、当該画像より輝度が高い表示画像を生成する。表示制御部１２４は、表示画像生成部１２３によって生成された撮像画像よりも輝度の高い画像を表示部１０３に表示させる。その結果、表示部１０３に表示される画像の輝度が上がることによって、被写体の照度も上げられる。したがって、実施例２に係る携帯電話機１００によれば、専用の光源を設けなくとも被写体の照度を上げることが可能である。
【００６８】
実施例２では、表示画像生成部１２３は、撮像部１０２によって撮像された画像を、利用者の選択に応じたサイズに縮小し、縮小した画像以外の領域に白色を合成することで表示画像を生成する。したがって、実施例２によれば、利用者の選択に応じた輝度の選択が可能である。
【００６９】
実施例２では、表示画像生成部１２３は、撮像部１０２によって撮像された画像の輝度が所定の閾値を越えているか否かを判定する。表示画像生成部１２３は、当該輝度が所定の閾値を越えていないと判定した場合に、当該輝度が所定の閾値を越えるまで、撮像部１０２によって撮像された画像を縮小し、縮小した画像以外の領域に白色を合成することで表示画像を生成する。したがって、実施例２によれば、自動で画像の輝度を調整することが可能である。
【００７０】
実施例２では、余白に白色を表示することで画像の輝度上げることとしたが、表示部がバックライトを有する場合には、表示制御部が表示部の有しているバックライトの電流を増加させることで、表示部に表示させる画像の輝度を上げるようにしてもよい。これにより被写体の照度を相乗的に上げることができる。
【００７１】
上記実施例では、輝度の調整を「弱」、「中」、「強」の３段階で設定していたが、本願の開示する携帯端末はこれに限られるものではない。例えば、携帯電話機１００は、輝度の調整をより多くの段階で行えるようにしてもよい。また、携帯電話機１００は、輝度の調整を段階的に設定することに限らず、線形的に設定できるようにしてもよい。
【００７２】
上記実施例では、携帯端末の白合成部が合成する色を白色とした場合について説明したが、本願が開示する携帯端末はこれに限られるものではない。例えば、白合成部が合成する色は、少なくとも被写体の輝度を上げることが可能な色であれば、白色以外の色であってもよい。
【００７３】
上記実施例では、携帯端末を携帯電話機とした場合について説明したが、本願の開示する携帯端末はこれに限られるものではない。例えば、携帯端末は、少なくとも撮像部と表示部を有すること。また、携帯端末において、表示部は、撮像部によって撮像された画像を表示する表示領域を有し、当該表示領域が発する表示光の照射範囲および撮像部が撮像する撮像範囲の少なくとも一部が重なるように配置されること。上記二点を満たせば、携帯端末は、携帯型ゲーム機やノート型パソコンなどであってもよい。
【００７４】
上記実施例では、携帯端末に搭載されたカメラをインカメラとした場合について説明したが、本願の開示する携帯端末はこれに限られるものではない。例えば、アウトカメラについても同様に適用することができる。アウトカメラについて適用する場合、アウトカメラ側に表示部を設ける。表示部は、アウトカメラによって撮像された画像を表示する表示領域を有すること。表示部の当該表示領域が発する表示光の照射範囲およびアウトカメラが撮像する撮像範囲の少なくとも一部が重なるように配置されること。上記二点を満たせば、アウトカメラにも同様に適用することができる。
【００７５】
上記実施例では、携帯端末の白合成部１２３ｂが画像縮小部１２３ａによって縮小された画像を表示画面の中央に配置し、その余白部分に白色を合成する場合について説明したが、本願が開示する携帯端末はこれに限られるものではない。具体例について図１２Ａ乃至Ｄを用いて説明する。図１２Ａ乃至Ｄは、白合成部１２３ｂによって合成される画像の一例を示す図である。図１２Ａは、画像縮小部１２３ａによって縮小された画像を示している。図１２Ｂは、実施例２で説明した白合成部１２３ｂによって合成される画像である。図１２Ｂにおいては、白合成部１２３ｂは、画像縮小部１２３ａによって縮小された画像を、表示部１０３に表示可能なサイズの中央部分に配置し、生じた余白部分に白色を合成している。図１２Ｃにおいては、白合成部１２３ｂは、画像縮小部１２３ａによって縮小された画像を、表示部１０３に表示可能なサイズに、左下端に揃えるようにして配置し、生じた余白部分に白色を合成している。図１２Ｄにおいては、白合成部１２３ｂは、画像縮小部１２３ａによって縮小された画像を、表示部１０３に表示可能なサイズに、上端中央に揃えるようにして配置し、生じた余白部分に白色を合成している。したがって、白合成部１２３ｂは、画像縮小部１２３ａによって縮小された画像を、表示部のＬＣＤ表示サイズの任意の位置に配置し、画像を合成することが可能である。
【００７６】
上記実施例では、携帯電話機１００の白合成部１２３ｂによる合成処理について、表示ごとに撮像画像を描写するのか、白色を描写するのかを判定していたが、本願の開示する携帯端末はこれに限られるものではない。例えば、白合成部１２３ｂは、縮小された撮像画像を表示の任意の位置に描画し、撮像画像を描画した後に、描画されなかった領域に白色を描画してもよい。
【００７７】
上記実施例では、携帯端末が撮像する画像は静止画として説明したが、本願が開示する携帯端末はこれに限られるものではない。例えば、携帯端末が撮像する画像は、動画であってもよい。
【実施例３】
【００７８】
実施例２では、携帯電話機に搭載されたインカメラによる撮像機能について説明した。ところで、携帯電話機はテレビ電話機能を有している機種もある。実施例３では、携帯電話機によるテレビ電話機能を使用した通話時におけるインカメラによる撮像画像の輝度調整を行う場合について説明する。
【００７９】
［実施例３に係る携帯電話機］
図１３Ａ乃至Ｃは、実施例３に係る携帯電話機を示す図である。図１３Ａは、利用者Ａと利用者Ｂが携帯電話機１００によってテレビ電話機能を使用して通話中であることを示す。なお、本実施例では利用者Ａと利用者Ｂが使用する携帯電話機１００を区別するため、利用者Ａが使用する携帯電話機を１００Ａ、利用者Ｂが使用する携帯電話機を１００Ｂとする。利用者Ａが暗い場所で通話する場合、利用者Ｂの使用する携帯電話機１００Ｂに表示される利用者Ａの画像の輝度は低くなる。そこで、携帯電話機１００Ｂは、利用者Ｂからライト設定の選択を受付ける。
【００８０】
携帯電話機１００Ｂは、無線通信を介して、携帯電話機１００Ａに利用者Ｂの画像を送信するとともにライト設定の指示を転送する。携帯電話機１００Ａは、ライト設定の指示を受付けると、送信された利用者Ｂの画像を縮小し、縮小させた画像の余白部分に白色を合成する。その結果、携帯電話機１００Ａは、より輝度の高い画像を生成し、画像の輝度が高くなった結果、利用者Ａの照度が高くなる（図１３Ｂ）。携帯電話機１００Ａのカメラは、照度が高くなった利用者Ａを撮像し、撮像した利用者Ａの画像を携帯電話機１００Ｂへ送信する。携帯電話機１００Ｂは、輝度が高くなった利用者Ａの画像を表示する（図１３Ｃ）。したがって、携帯電話機１００Ｂは、より高い輝度の利用者Ａの画像を表示することが可能になる。
【００８１】
［実施例３に係る携帯電話機の構成］
実施例３に係る携帯電話機１００は、実施例２と同様の構成を有する。実施例３において、携帯電話機１００は、利用者Ａと利用者Ｂとでのテレビ電話機能を利用した通話時に用いられる。したがって、実施例３に係る携帯電話機１００は、実施例２とは処理の流れに相違がある。実施例３において、実施例２とは異なる処理の流れに重点をおいて説明する。利用者Ａが使用する携帯電話機を１００Ａ、利用者Ｂが使用する携帯電話機を１００Ｂとし、既に説明した構成と同じものについては同一の符号を付し、その説明を省略する。
【００８２】
図１４は、実施例３に係る携帯電話機１００の構成を示す機能ブロック図である。なお、携帯電話機１００Ａは、実施例２と同様に記憶部１１０Ａを有するが、説明を簡略化するため省略する。携帯電話機１００Ｂも、携帯電話機１００Ａと同様の構成を有するが、説明を省略する。携帯電話機１００Ａと携帯電話機１００Ｂとは無線通信で接続されている。
【００８３】
携帯電話機１００Ａにおいて、撮像部１０２Ａは、携帯電話機１００Ａの利用者Ａを撮像する。画像処理部１２２Ａは、撮像部１０２Ａが撮像した画像のデジタル化処理を行う。画像処理部１２２Ａは、実施例２において、画像データを携帯電話機１００の表示画像生成部１２３へ転送したが、実施例３においては、携帯電話機１００Ｂの表示画像生成部１２３Ｂへ転送する。表示画像生成部１２３Ｂは、転送された画像を表示制御部１２４Ｂへ転送し、携帯電話機１００Ｂの表示部１０３Ｂへ表示させる。したがって、携帯電話機１００Ａが撮像した利用者Ａの画像は、利用者Ｂが使用する携帯電話機１００Ｂへ表示される。
【００８４】
携帯電話機１００Ｂの撮像部１０２Ｂが撮像した利用者Ｂの画像は、利用者Ａが使用する携帯電話機１００Ａの表示部１０３Ａに表示される。したがって、携帯電話機１００Ａと１００Ｂは撮像した画像を互いの表示部に表示させることで、テレビ電話機能を提供する。
【００８５】
端末ソフト制御部１２１Ｂは、操作受付部１０１Ｂを介して利用者Ｂからライト設定を受付ける。携帯電話機１００Ｂにおいて、端末ソフト制御部１２１Ｂは、無線通信部１０４Ｂおよび無線通信部１０４Ａを介して、携帯電話機１００Ａに利用者Ｂの画像を送信すると同時にライト設定の指示を転送する。携帯電話機１００Ａにおいて、端末ソフト制御部１２１Ａがライト設定の指示を受付けると、表示画像生成部１２３Ａは、送信された利用者Ｂの画像を縮小し、縮小させた画像の余白部分に白色を合成することで、より輝度の高い画像を生成する。携帯電話機１００Ａにおいて、撮像部１０２Ａは、照度が高くなった利用者Ａを撮像し、撮像した利用者Ａの画像を携帯電話機１００Ｂへ送信する。したがって、携帯電話機１００Ｂは、輝度のより高い利用者Ａの画像を表示部１０３Ｂに表示することが可能となる。携帯電話機１００Ａにおいて、端末ソフト制御部１２１Ａがライト設定を受付けたと判定した場合、無線通信部１０４Ａおよび無線通信部１０４Ｂを介して、携帯電話機１００Ｂに利用者Ａの画像を送信すると同時にライト設定の指示を転送する。携帯電話機１００Ｂにおいて、端末ソフト制御部１２１Ｂがライト設定の指示を受付けると、表示画像生成部１２３Ｂは、送信された利用者Ａの画像を縮小し、縮小させた画像の余白部分に白色を合成することで、より輝度の高い画像を生成する。携帯電話機１００Ｂにおいて、撮像部１０２Ｂは、照度が高くなった利用者Ｂを撮像し、撮像した利用者Ｂの画像を携帯電話機１００Ａへ送信する。したがって、携帯電話機１００Ａは、輝度のより高い利用者Ｂの画像を表示部１０３Ａに表示することが可能となる。
【００８６】
［実施例３に係る携帯電話機の処理］
実施例３に係る携帯電話機１００Ａと携帯電話機１００Ｂによって行われる処理の流れについて説明する。図１５は、実施例３に係る携帯電話機１００Ａと１００Ｂによって行われる処理の流れを示すフローチャートである。本実施例では、説明を簡略化する都合上、利用者Ａと利用者Ｂが通話中に、利用者Ｂが使用する携帯電話機１００Ｂに表示される利用者Ａの輝度を調整した場合について説明する。
【００８７】
携帯電話機１００Ｂにおいて、端末ソフト制御部１２１Ｂは、利用者Ｂからライト設定を受付けた場合に（ステップＳ４０１、Ｙｅｓ）、ライト設定画面を表示し、ライト設定の選択を受付ける（ステップＳ４０２）。端末ソフト制御部１２１Ｂは、無線通信部１０４Ｂを介して、受付けたライト設定を携帯電話機１００Ａへ送信する（ステップＳ４０３）。
【００８８】
携帯電話機１００Ａにおいて、端末ソフト制御部１２１Ａは、携帯電話機１００Ｂから受信したライト設定を判定し（ステップＳ４０４）、判定結果に基づいて表示画像生成部１２３Ａが表示画像を生成する（ステップＳ４０５）。具体的には、表示画像生成部１２３Ａは、図８に示したステップＳ１０５からステップＳ１１２の処理を行う。実施例２においては、被写体の画像を処理したが、実施例３においては、通話者からの送信された画像を処理する。
【００８９】
携帯電話機１００Ａにおいて、撮像部１０２Ａは、生成した画像によって提供される輝度を光源として、利用者Ａを撮像する（ステップＳ４０６）。端末ソフト制御部１２１Ａは撮像した利用者Ａの画像を携帯電話機１００Ｂへ送信する（ステップＳ４０７）。携帯電話機１００Ｂにおいて、端末ソフト制御部１２１Ｂは、送信された画像を表示部１０３Ｂに表示する（ステップＳ４０８）。
【００９０】
［実施例３の効果］
上述したように、実施例３に係る携帯電話機１００Ａにおいて、撮像部１０２Ａは、利用者Ａを撮像する。撮像部１０２Ａによって撮像され画像は表示部１０３Ｂに表示される。表示部１０３Ａは、撮像部１０２Ｂが撮像した利用者Ｂを表示する。表示部１０３Ａは、表示部１０３Ａの表示領域が発する表示光の照射範囲および撮像部１０２Ａが撮像する撮像範囲の少なくとも一部が重なるように配置される。その結果、表示部１０３Ａの表示光が利用者Ａに照射される。表示画像生成部１２３Ａは、撮像部１０２Ｂによって撮像された画像における被写体の形態を維持しつつ、当該画像より輝度が高い表示画像を生成する。表示制御部１２４Ａは、表示画像生成部１２３Ａによって生成された撮像画像よりも輝度の高い画像を表示部１０３Ａに表示させる。実施例３では、表示部１０３Ａが表示する画像の輝度が上がることによって、利用者Ａの照度も上がる。したがって、実施例３に係る携帯電話機１００によれば、専用の光源を設けなくとも、通話している相手の画像の輝度を調整することが可能である。
【００９１】
実施例３では、表示画像生成部１２３Ａは、撮像部１０２Ｂによって撮像された画像を利用者Ｂの選択に応じたサイズに縮小し、縮小した画像以外の領域に白色を合成することで表示画像を生成する。したがって、実施例３によれば、利用者Ｂの選択に応じた輝度の選択が可能である。
【００９２】
実施例３では、表示画像生成部１２３Ａは、撮像部１０２Ａによって撮像された画像の輝度が所定の閾値を越えているか否かを判定する。表示画像生成部１２３Ａは、当該輝度が所定の閾値を越えていないと判定した場合に、当該輝度が所定の閾値を越えるまで、撮像部１０２Ｂによって撮像された画像を縮小し、縮小した画像以外の領域に白色を合成することで表示画像を生成する。したがって、実施例３によれば、自動で画像の輝度を調整することが可能である。
【００９３】
上記実施例では、携帯電話機１００Ａは、ライト設定を受付けた場合、撮像部１０２Ａが撮像した画像を携帯電話機１００Ｂに送信し、送信した画像の処理を指示する場合について説明した。しかし、本願の開示する携帯端末はこれに限られるものではない。例えば、携帯電話機１００Ａは、撮像部１０２Ａによって撮像された画像を表示画像生成部１２３Ａが縮小処理および白合成処理をしたものを携帯電話機１００Ｂに送信して表示させてもよい。
【実施例４】
【００９４】
［プログラム］
上記各実施例に係る携帯端末の構成は、要旨を逸脱しない範囲で種々に変更することができる。例えば、図３に示した携帯電話機１００の機能をソフトウェアで実装し、そのソフトウェアをコンピュータで実行することで各装置の機能を実現することもできる。以下に、携帯電話機１００の機能をソフトウェアで実装した輝度調整プログラムを実行するコンピュータの一例について説明する。
【００９５】
図１６は、輝度調整プログラムを実行するコンピュータの構成を示す機能ブロック図である。図１６において、コンピュータ２００は、図３に示した携帯電話機１００に対応する。
【００９６】
コンピュータ２００は、各種演算処理を実行するＣＰＵ（Central Processing Unit）２２０と、各種データの入力を利用者から受け付ける入力装置２４０と、各種情報を出力する出力装置２５０と、撮像部２８０とを有する。入力装置２４０は、図３に示した操作受付部１０１に対応する。出力装置２５０は、図３に示した表示部１０３に対応する。撮像部２８０は、図３に示した撮像部１０２に対応する。
【００９７】
コンピュータ２００は、記憶媒体からプログラム等を読み取る媒体読取装置２６０と、ネットワークを介して他のコンピュータとの間でデータの授受を行うネットワークインタフェース２７０とを有する。ネットワークインタフェース２７０は、図３に示した無線通信部１０４に対応する。
【００９８】
コンピュータ２００は、各種情報を一時的に記憶するＲＡＭ（Random Access Memory）２１０と、各種情報を記憶するＲＯＭ（Read Only Memory）２３０とを有する。ＲＡＭ２１０およびＲＯＭ２３０は、図３に示した記憶部１１０に対応する。
【００９９】
ＲＯＭ２３０には、図３に示した表示画像生成部１２３と同様の機能を有する表示画像生成プログラム２３１と、図３に示した表示制御部１２４と同様の機能を有する表示制御プログラム２３２とが記憶される。ＣＰＵ２２０が、ＲＯＭ２３０から表示画像生成プログラム２３１および表示制御プログラム２３２を読み出してＲＡＭ２１０に展開する。ＣＰＵ２２０は、表示画像生成プログラム２１１を表示画像生成プロセス２２１として実行し、表示制御プログラム２１２を表示制御プロセス２２２として実行する。
【０１００】
表示画像生成プログラム２３１および表示制御プログラム２３２は、必ずしもＲＯＭ２３０に記憶されている必要はなく、例えば、メモリカード等の記憶媒体に記憶され、記憶媒体から読み出されて実行されてもよい。表示画像生成プログラム２３１および表示制御プログラム２３２は、他のコンピュータによって記憶され、公衆回線、インターネット、ＬＡＮ（Local Area Network）、ＷＡＮ（Wide Area Network）等を介して、読み出されて実行されてもよい。
【０１０１】
以上の各実施例を含む実施形態に関し、さらに以下の付記を開示する。
【０１０２】
（付記１）被写体を撮像する撮像部と、
前記撮像部によって撮像された画像を表示する表示領域を有し、当該表示領域が発する
表示光の照射範囲および前記撮像部が撮像する撮像範囲の少なくとも一部が重なるように
配置された表示部と、
前記撮像部によって撮像された画像における被写体の形態を維持しつつ、当該画像より
輝度が高い表示画像を生成する表示画像生成部と、
前記表示画像生成部によって生成された表示画像を前記表示部が有する前記表示領域に表示
させる表示制御部と
を有することを特徴とする携帯端末。
【０１０３】
（付記２）前記表示画像生成部は、前記撮像部によって撮像された画像を前記表示領域よりも縮小し、縮小した画像以外の領域を白画像とすることで前記表示画像を生成することを特徴とする付記１に記載の携帯端末。
【０１０４】
（付記３）前記表示画像生成部は、前記撮像部によって撮像された画像の輝度が所定の閾値を越えているか否かを判定し、当該輝度が前記所定の閾値を越えていないと判定した場合に、当該輝度が所定の閾値を越えるまで、前記撮像部によって撮像された画像をさらに縮小し、縮小した画像以外の領域を白画像とすることで前記表示画像を生成することを特徴とする付記２に記載の携帯端末。
【０１０５】
（付記４）前記表示部は、バックライトを有し、
前記表示制御部は、前記表示部が有するバックライトの電流を増加させることで、前記表示画像の輝度を上げることを特徴とする付記１、２または３に記載の携帯端末。
【０１０６】
（付記５）被写体を撮像する撮像部によって撮像された画像における被写体の形態を維持しつつ、当該画像より輝度が高い表示画像を生成する表示画像生成手順と、
前記撮像部によって撮像された画像を表示する表示領域を有し、当該表示領域が発する
表示光の照射範囲および前記撮像部が撮像する撮像範囲の少なくとも一部が重なるように
配置された表示部が有する前記表示領域に、前記表示画像生成手順によって生成された表示画像を表示させる表示制御手順と
をコンピュータに実行させることを特徴とする輝度調整プログラム。
【符号の説明】
【０１０７】
１０  携帯端末
１１  撮像部
１２  表示部
１３  表示画像生成部
１４  表示制御部
【図１】
0005434513.tif 000002
【図２】
0005434513.tif 000003
【図３】
0005434513.tif 000004
【図４】
0005434513.tif 000005
【図５】
0005434513.tif 000006
【図６】
0005434513.tif 000007
【図７】
0005434513.tif 000008
【図８】
0005434513.tif 000009
【図９】
0005434513.tif 000010
【図１０】
0005434513.tif 000011
【図１１】
0005434513.tif 000012
【図１２】
0005434513.tif 000013
【図１３】
0005434513.tif 000014
【図１４】
0005434513.tif 000015
【図１５】
0005434513.tif 000016
【図１６】
0005434513.tif 000017